(57)【要約】  【課題】  外部に接続される表示装置の規格とその表示装置に表示される言語との設定を容易にすること。  【解決手段】  外部に接続される外部表示装置７が映像電気信号を画像に変換する規格と楽曲に関する情報を表現する言語とを示す設定情報を地域名に対応付けて記録する設定情報データベース１２と、入力装置８から入力地域名を収集する地域名入力部１５と、設定情報データベース１２を参照して、設定情報のうちの入力地域名に対応する対応設定情報を検索する設定部１６と、対応設定情報により示される言語が用いられる画像を生成する画像生成部１７と、対応設定情報により示される規格に基づいて画像を映像電気信号に変換する画像信号生成部１８とを備えている。一般的に、その規格と言語とは、国毎に決められている。本発明による電子楽器１によれば、ユーザは、その規格と言語とを一度に容易に設定することができる。  【選択図】図２
2005070203.tif 000002
【特許請求の範囲】
【請求項１】
楽曲を演奏し、外部に接続される外部表示装置に前記楽曲に関する情報を表示する電子楽器であり、
前記外部表示装置が映像電気信号を画像に変換する規格と前記楽曲に関する情報を表現する言語とを示す設定情報を地域名に対応付けて記録する設定情報データベースと、
入力装置から入力地域名を収集する地域名入力部と、
前記設定情報データベースを参照して、前記設定情報のうちの前記入力地域名に対応する対応設定情報を検索する設定部と、
前記対応設定情報により示される言語が用いられる画像を生成する画像生成部と、
前記対応設定情報により示される規格に基づいて前記画像を映像電気信号に変換する画像信号生成部
とを具備する電子楽器。
【請求項２】
請求項１において、
前記設定情報は、楽音電気信号を音声に変換する音響装置のインピーダンスを更に示し、
更に、
前記対応設定情報により示されるインピーダンスに基づいて前記楽音を楽音電気信号に変換する楽音信号生成部
を更に具備する電子楽器。
【請求項３】
請求項１または請求項２のいずれかにおいて、
前記地域名を電源の属性に対応付けて記録する電源属性データベースと、
当該電子楽器に接続される電源の属性を測定するセンサから測定属性を収集する電源属性収集部と、
前記電源属性データベースを参照して、前記地域名のうちの前記測定属性に対応する対応地域名を抽出する地域名抽出部とを更に具備し、
前記地域名入力部は、表示装置に前記対応地域名を表示して、前記対応地域名のうちから前記入力装置に実施された操作に基づいて前記入力地域名を選択する
電子楽器。
【請求項４】
請求項３において、
前記属性は、前記電源の電圧を示す
電子楽器。
【請求項５】
請求項３または請求項４のいずれかにおいて、
前記属性は、前記電源の周波数を示す
電子楽器。
【請求項６】
請求項１〜請求項５のいずれかにおいて、
前記設定情報は、前記楽曲を生成するときに使用される複数のソフトウェアのうちの一部分の部分ソフトウェアを更に示し、
前記ソフトウェアは、それぞれ、前記楽曲に用いられるリズムと前記楽曲に用いられる音色と前記楽曲に用いられるエフェクトとのうちから選択される１つの音楽情報を示し、
更に、
前記音楽情報のうちの前記対応設定情報により示される部分ソフトウェアにより示される部分音楽情報を表示装置に表示して、前記部分音楽情報のうちから前記入力装置に実施された操作に基づいて選択された選択音楽情報を用いて前記楽曲を生成する楽曲生成部
を具備する電子楽器。
【請求項７】
楽曲を演奏する電子楽器に接続される外部表示装置に画像を表示することに関して設定する電子楽器設定方法であり、
入力装置から入力地域名を収集するステップと、
前記外部表示装置が映像電気信号を画像に変換する規格と前記楽曲に関する情報を表現する言語とを示す設定情報を地域名に対応付けて記録する設定情報データベースを参照して、前記設定情報のうちの前記入力地域名に対応する対応設定情報を検索するステップと、
前記対応設定情報により示される言語が用いられる画像を生成するステップと、
前記対応設定情報により示される規格に基づいて前記画像を映像電気信号に変換するステップ
とを具備する電子楽器設定方法。
【請求項８】
請求項７において、
前記設定情報は、楽音電気信号を音声に変換する音響装置のインピーダンスを更に示し、
更に、
前記対応設定情報により示されるインピーダンスに基づいて前記楽音を楽音電気信号に変換するステップ
を具備する電子楽器設定方法。
【請求項９】
請求項７または請求項８のいずれかにおいて、
前記電子楽器に接続される電源の属性を測定するセンサから測定属性を収集するステップと、
前記地域名を電源の属性に対応付けて記録する電源属性データベースを参照して、前記地域名のうちの前記測定属性に対応する対応地域名を抽出するステップと、
表示装置に前記対応地域名を表示して、前記対応地域名のうちから前記入力装置に実施された操作に基づいて前記入力地域名を選択するステップ
を更に具備する電子楽器設定方法。
【請求項１０】
請求項９において、
前記属性は、前記電源の電圧を示す
電子楽器設定方法。
【請求項１１】
請求項９または請求項１０のいずれかにおいて、
前記属性は、前記電源の周波数を示す
電子楽器設定方法。
【請求項１２】
請求項７〜請求項１１のいずれかにおいて、
前記設定情報は、前記楽曲を生成するときに使用される複数のソフトウェアのうちの一部分の部分ソフトウェアを更に示し、
前記ソフトウェアは、それぞれ、前記楽曲に用いられるリズムと前記楽曲に用いられる音色と前記楽曲に用いられるエフェクトとのうちから選択される１つの音楽情報を示し、
更に、
前記音楽情報のうちの前記対応設定情報により示される部分ソフトウェアにより示される部分音楽情報を表示装置に表示して、前記部分音楽情報のうちから前記入力装置に実施された操作に基づいて選択された選択音楽情報を用いて前記楽曲を生成するステップ
を具備する電子楽器設定方法。
【発明の詳細な説明】
【技術分野】
【０００１】
本発明は、電子楽器及び電子楽器設定方法に関し、特に、楽曲を演奏し、かつ、外部に接続される表示装置に画像を表示する電子楽器及び電子楽器の外部に接続される表示装置に画像を表示することに関して設定する電子楽器設定方法に関する。
【背景技術】
【０００２】
楽曲を演奏し、かつ、外部に接続されるテレビに画像を表示する電子楽器が知られている。このような電子楽器は、作成された画像を電気信号に変換してそのテレビに出力している。そのテレビは、設定されている規格に基づいて、入力される電気信号を映像に変換している。その規格としては、ＮＴＳＣ方式、ＰＡＬ方式が例示される。電子楽器は、接続されるテレビの規格に基づいて、画像を電気信号に変換する規格の設定を変更する必要がある。その画像は、演奏される楽曲に関する情報を１つの言語で表現している。電子楽器は、ユーザが使用する言語に基づいて、その画像に使用される言語の設定を変更する必要がある。外部に接続される表示装置の規格とその表示装置に表示される言語との設定が容易である電子楽器が望まれている。
【０００３】
特開平７−３２５５６８号公報には、テレビ等の映像表示手段に映像を出力する映像出力機能を備えた映像出力機能付電子楽器に関し、演奏者が希望する視覚的実感を体験できる映像を提供し、演奏者が得られる満足感を向上させる映像出力機能付電子楽器が開示されている。
【０００４】
特開平８−７６７４９号公報には、自動演奏のコード進行や、演奏の背景となる画面等をモニターテレビに出力することのできる電子楽器が開示されている。
【０００５】
【特許文献１】特開平７−３２５５６８号公報
【特許文献２】特開平８−７６７４９号公報
【発明の開示】
【発明が解決しようとする課題】
【０００６】
本発明の課題は、外部に接続される表示装置の規格とその表示装置に表示される言語との設定を容易にする電子楽器及び電子楽器設定方法を提供することにある。
本発明の他の課題は、外部に接続される表示装置の規格とその表示装置に表示される言語とヘッドホンの規格との設定を容易にする電子楽器及び電子楽器設定方法を提供することにある。
本発明のさらに他の課題は、外部に接続される表示装置の規格とその表示装置に表示される言語との設定を容易にし、かつ、演奏される楽曲の作成を容易にする電子楽器及び電子楽器設定方法を提供することにある。
【課題を解決するための手段】
【０００７】
以下に、発明を実施するための最良の形態または実施例で使用される符号を括弧付きで用いて、課題を解決するための手段を記載する。この符号は、特許請求の範囲の記載と発明を実施するための最良の形態または実施例の記載との対応を明らかにするために付加されたものであり、特許請求の範囲に記載されている発明の技術的範囲の解釈に用いてはならない。
【０００８】
本発明による電子楽器（１）は、楽曲を演奏し、外部に接続される外部表示装置（３）に楽曲に関する情報を表示する電子楽器（１）である。電子楽器（１）は、外部表示装置（３）が映像電気信号を画像に変換する規格と楽曲に関する情報を表現する言語とを示す設定情報を地域名に対応付けて記録する設定情報データベース（１２）と、入力装置（８）から入力地域名を収集する地域名入力部（１５）と、設定情報データベース（１２）を参照して、設定情報のうちの入力地域名に対応する対応設定情報を検索する設定部（１６）と、対応設定情報により示される言語が用いられる画像を生成する画像生成部（１７）と、対応設定情報により示される規格に基づいて画像を映像電気信号に変換する画像信号生成部（１８）とを備えている。
【０００９】
一般的に、その規格と言語とは、国毎に決められている。本発明による電子楽器（１）によれば、ユーザは、その規格と言語とを一度に容易に設定することができる。
【００１０】
設定情報は、楽音電気信号を音声に変換する音響装置（４）のインピーダンスを更に示している。このとき、本発明による電子楽器（１）は、更に、対応設定情報により示されるインピーダンスに基づいて楽音を楽音電気信号に変換する楽音信号生成部（２０）を更に備えている。ヘッドホン（４）のインピーダンスは、一般的に、その規格と言語とともに、国毎に決められている。本発明による電子楽器（１）によれば、ユーザは、その規格と言語とともに、インピーダンスを一度に容易に設定することができる。
【００１１】
本発明による電子楽器（１）は、地域名を電源（２）の属性に対応付けて記録する電源属性データベース（１１）と、電子楽器（１）に接続される電源（２）の属性を測定するセンサから測定属性を収集する電源属性収集部（１３）と、電源属性データベース（１１）を参照して地域名のうちの測定属性に対応する対応地域名を抽出する地域名抽出部（１４）とを更に備えている。地域名入力部（１５）は、表示装置（７）に対応地域名を表示して、対応地域名のうちから入力装置（８）に実施された操作に基づいて入力地域名を選択する。本発明による電子楽器（１）によれば、ユーザは、対応地域名から入力地域名を選択することにより、入力地域名をより容易に入力することができる。
【００１２】
その属性は、電源（２）の電圧を示し、または、電源（２）の周波数を示していることが好ましい。
【００１３】
設定情報は、楽曲を生成するときに使用される複数のソフトウェアのうちの一部分の部分ソフトウェアを更に示し、ソフトウェアは、それぞれ、楽曲に用いられるリズムと楽曲に用いられる音色と楽曲に用いられるエフェクトとのうちから選択される１つの音楽情報を示している。このとき、本発明による電子楽器（１）は、更に、その音楽情報のうちの対応設定情報により示される部分ソフトウェアにより示される部分音楽情報を表示装置（７）に表示して、部分音楽情報のうちから入力装置（８）に実施された操作に基づいて選択された選択音楽情報を用いて楽曲を生成する楽曲生成部（１９）を備えていることが好ましい。一般的に、楽曲に用いられるリズムと音色とエフェクトとは、国毎にほとんど用いられないものが存在する。ユーザは、電子楽器（１）がほとんど用いられない音楽情報を表示しないときに、所望の選択音楽情報をより容易に入力することができる。
【００１４】
本発明による電子楽器設定方法は、楽曲を演奏する電子楽器（１）に接続される外部表示装置（３）に画像を表示することに関して設定する方法である。本発明による電子楽器設定方法は、入力装置（８）から入力地域名を収集するステップと、外部表示装置（３）が映像電気信号を画像に変換する規格と楽曲に関する情報を表現する言語とを示す設定情報を地域名に対応付けて記録する設定情報データベース（１２）を参照して、設定情報のうちの入力地域名に対応する対応設定情報を検索するステップと、対応設定情報により示される言語が用いられる画像を生成するステップと、対応設定情報により示される規格に基づいて画像を映像電気信号に変換するステップとを備えている。
【００１５】
一般的に、その規格と言語とは、国毎に決められている。本発明による電子楽器設定方法によれば、ユーザは、その規格と言語とを一度に容易に設定することができる。
【００１６】
設定情報は、楽音電気信号を音声に変換する音響装置（４）のインピーダンスを更に示している。このとき、本発明による電子楽器設定方法は、更に、対応設定情報により示されるインピーダンスに基づいて楽音を楽音電気信号に変換するステップを備えている。ヘッドホン（４）のインピーダンスは、一般的に、その規格と言語とともに、国毎に決められている。本発明による電子楽器設定方法によれば、ユーザは、その規格と言語とともに、インピーダンスを一度に容易に設定することができる。
【００１７】
本発明による電子楽器設定方法は、電子楽器（１）に接続される電源（２）の属性を測定するセンサから測定属性を収集するステップと、地域名を電源（２）の属性に対応付けて記録する電源属性データベース（１１）を参照して、地域名のうちの測定属性に対応する対応地域名を抽出するステップと、表示装置（７）に対応地域名を表示して、対応地域名のうちから入力装置（８）に実施された操作に基づいて入力地域名を選択するステップを更に備えている。本発明による電子楽器設定方法によれば、ユーザは、対応地域名から入力地域名を選択することにより、入力地域名をより容易に入力することができる。
【００１８】
その属性は、電源（２）の電圧を示し、または、電源（２）の周波数を示していることが好ましい。
【００１９】
設定情報は、楽曲を生成するときに使用される複数のソフトウェアのうちの一部分の部分ソフトウェアを更に示し、ソフトウェアは、それぞれ、楽曲に用いられるリズムと楽曲に用いられる音色と楽曲に用いられるエフェクトとのうちから選択される１つの音楽情報を示している。このとき、本発明による電子楽器設定方法は、更に、音楽情報のうちの対応設定情報により示される部分ソフトウェアにより示される部分音楽情報を表示装置（７）に表示して、部分音楽情報のうちから入力装置（８）に実施された操作に基づいて選択された選択音楽情報を用いて楽曲を生成するステップを備えていることが好ましい。一般的に、楽曲に用いられるリズムと音色とエフェクトとは、国毎にほとんど用いられないものが存在する。ユーザは、表示装置（７）がほとんど用いられない音楽情報を表示しないときに、所望の選択音楽情報をより容易に入力することができる。
【発明の効果】
【００２０】
本発明による電子楽器及び電子楽器設定方法によれば、ユーザは、外部に接続される表示装置の規格とその表示装置に表示される言語とを容易に設定することができる。
【発明を実施するための最良の形態】
【００２１】
図面を参照して、本発明による電子楽器の実施の形態を記載する。その電子楽器１は、図１に示されているように、外部に電源２とテレビ３とヘッドホン４とが着脱可能に接続されている。電源２は、電子楽器１が配置される地域を管轄する電気事業者から供給されている交流電力を電子楽器１に供給している。電源２としては、コンセントが例示される。テレビ３は、放送局から放送される映像と音声とを受信して、その映像を表示し、その音声を発音する。テレビ３は、さらに、ビデオ端子を有し、電子楽器１から電気信号をそのビデオ端子に受信して、その電気信号が示す映像を表示する。ヘッドホン４は、ユーザの耳に固定されて、電子楽器１から電気信号を受信して、その電気信号が示す音声を発音する。
【００２２】
電子楽器１は、電子楽器本体５と電源センサ６と表示装置７と入力装置８とスピーカ９とを備えている。電子楽器本体５は、情報処理装置であり、インストールされたコンピュータプログラムを実行して、電源センサ６と表示装置７と入力装置８とスピーカ９とを制御する。電源センサ６は、電源２から供給される電力の電圧と周波数とを測定し、その測定結果を電子楽器本体５に出力する。表示装置７は、表示面を有し、電子楽器本体５が作成した映像をその表示面に表示する。表示装置７としては、液晶ディスプレイが例示される。入力装置８は、ユーザに操作され、その操作内容を電子楽器本体５に出力する。スピーカ９は、電子楽器本体５が作成した音声を発音する。
【００２３】
図２は、電子楽器本体５を示している。電子楽器本体５は、コンピュータプログラムである電源属性データベース１１と設定情報データベース１２と電源属性収集部１３と地域名抽出部１４と地域名入力部１５と設定部１６と画像生成部１７と画像信号生成部１８と楽曲生成部１９と楽音信号生成部２０とをインストールしている。
【００２４】
電源属性データベース１１は、各国で使用されている交流電力の属性を記録している。その属性は、交流電力の電圧と周波数とを示している。設定情報データベース１２は、電子楽器１に設定される内容を示す設定情報を記録している。その設定情報は、テレビ３が電気信号を映像に変換する規格と、テレビ３に表示される情報を表現する言語と、ヘッドホン４のインピーダンスと、楽曲を作成するときに利用される音楽情報とを示している。その音楽情報は、楽曲に用いられるリズム、音色、エフェクトを示している。
【００２５】
電源属性収集部１３は、接続されている電源２が電子楽器１に供給する交流電力の属性を電源センサ６から収集する。その属性は、電圧と周波数とを示している。地域名抽出部１４は、電源属性データベース１１を参照して、電源属性収集部１３により収集された属性に対応する国名を抽出する。地域名入力部１５は、地域名抽出部１４により抽出された国名を表示装置７に表示して、その国名のうちから入力装置８の操作内容により１つの国名を選択する。設定部１６は、設定情報データベース１２を参照して、地域名入力部１５により選択された国名に対応する設定情報が示す内容に電子楽器１を設定する。
【００２６】
画像生成部１７は、設定部１６により設定された言語を用いて画像を生成する。画像信号生成部１８は、設定部１６により設定された規格に基づいて画像生成部１７により生成された画像を電気信号に変換する。その電気信号は、テレビ３に出力される。楽曲生成部１９は、設定部１６により設定された音楽情報を用いて楽曲を生成する。すなわち、楽曲生成部１９は、その音楽情報に示されている項目のみを表示装置７に表示して、その表示された音楽情報のうちからユーザに選択された音楽情報のみを用いて楽曲を生成する。楽音信号生成部２０は、楽曲生成部１９により生成された楽曲を設定部１６により設定されたインピーダンスに基づいて電気信号に変換する。その電気信号は、ヘッドホン４に出力される。
【００２７】
図３は、電源属性データベース１１を示している。電源属性データベース１１は、電源属性に対応付けて国名２３を記録している。その電源属性は、電圧２１と周波数２２とから形成されている。電圧２１は、交流電力の電圧を示している。周波数２２は、交流電力の周波数を示している。国名２３は、電圧２１と周波数２２とにより電源属性に対応する少なくとも１つの国名を示している。
【００２８】
図４は、設定情報データベース１２を示している。設定情報データベース１２は、国名２４に対応付けて設定情報を記録している。その設定情報は、電子楽器１に設定される内容を示し、言語２５と規格２６とインピーダンス２７と音楽情報２８とを示している。言語２５は、テレビ３に表示される情報を表現する言語であり、国名２４に対応する少なくとも１つの言語を示している。規格２６は、テレビ３が電気信号を映像に変換する規格であり、国名２４に対応する少なくとも１つの規格を示している。インピーダンス２７は、ヘッドホン４のインピーダンスであり、国名２４に対応する少なくとも１つのインピーダンスを示している。ヘッドホン４のインピーダンスとしては、３０Ω、６００Ωが例示される。音楽情報２８は、楽曲を作成するときに利用されるリズム、音色、エフェクトであり、国名２４に対応する少なくとも１つの音楽情報を示している。
【００２９】
本発明による電子楽器設定方法の実施の形態は、電子楽器１により実行され、電子楽器１に設定された内容を変更する動作と設定された内容で楽曲を演奏する動作とを備えている。
【００３０】
図５は、電子楽器１に設定された内容を変更する動作を示している。電子楽器１は、ユーザにより異なる内容に設定されるように操作されたときに、まず、接続されている電源２が供給する交流電力の属性を電源センサ６を用いて測定する（ステップＳ１）。電子楽器１は、電源属性データベース１１を参照して、その測定された属性に対応する国名を抽出して（ステップＳ２）、その抽出された国名を表示装置７に表示する。ユーザは、入力装置８を操作してその国名のうちから、１つの国名を選択する（ステップＳ３）。
【００３１】
電子楽器１は、設定情報データベース１２を参照して、ユーザにより選択された国名に対応する設定情報が示す内容に電子楽器１を設定する（ステップＳ４）。すなわち、電子楽器１は、テレビ３が電気信号を映像に変換する規格と、テレビ３に表示される情報を表現する言語と、ヘッドホン４のインピーダンスと、楽曲を作成するときに利用されるリズム、音色、エフェクトとを設定する。電子楽器１は、対応する設定情報が示す項目が複数あるときに、たとえば、国名に対応する言語が複数あるときに、その複数の項目（言語）を表示装置７に表示する。ユーザは、入力装置８を操作してその複数の項目のうちから、１つの項目を選択する。電子楽器１は、ユーザにより選択された項目に電子楽器１を設定する。
【００３２】
設定された内容で楽曲を演奏する動作では、電子楽器１がユーザによる入力装置８の操作に基づいて楽曲を演奏する。すなわち、電子楽器１は、まず、図５の動作により設定された言語を用いて、設定された音楽情報を示す複数の項目を示す画像を生成する。電子楽器１は、その画像を表示装置７に表示し、設定された規格に基づいてその画像を電気信号に変換してテレビ３に出力してテレビ３にその画像を表示させる。ユーザは、入力装置８を用いて、その表示された項目のうちから所望の項目を選択する。電子楽器１は、ユーザにより選択された項目に対応する音楽情報を用いて楽曲を作成する。電子楽器１は、作成された楽曲をスピーカ９に発音させ、設定されたインピーダンスに基づいて電気信号に変換してヘッドホン４に出力してヘッドホン４にその楽曲を発音させる。
【００３３】
電子楽器１は、その楽曲の演奏中にさらに画像を作成し、その画像を表示装置７に表示し、設定された規格に基づいてその画像を電気信号に変換してテレビ３に出力してテレビ３にその画像を表示させる。
【００３４】
その規格と言語とは、一般的に、国毎に決められている。本発明による電子楽器設定方法によれば、ユーザは、その規格と言語とを一度に容易に設定することができる。さらに、楽曲に用いられるリズムと音色とエフェクトとは、国毎にほとんど用いられないものが存在する。電子楽器１は、ほとんど用いられないその音楽情報を表示しないように設定されることができる。このため、ユーザは、所望の選択音楽情報をより容易に入力することができる。
【図面の簡単な説明】
【００３５】
【図１】図１は、本発明による電子楽器の実施の形態を示すブロック図である。
【図２】図２は、電子楽器本体を示すブロック図である。
【図３】図３は、電源属性データベースを示す図である。
【図４】図４は、設定情報データベースを示す図である。
【図５】図５は、電子楽器に設定された内容を変更する動作を示すフローチャートである。
【符号の説明】
【００３６】
１  ：電子楽器
２  ：電源
３  ：テレビ
４  ：ヘッドホン
５  ：電子楽器本体
６  ：電源センサ
７  ：表示装置
８  ：入力装置
９  ：スピーカ
１１：電源属性データベース
１２：設定情報データベース
１３：電源属性収集部
１４：地域名抽出部
１５：地域名入力部
１６：設定部
１７：画像生成部
１８：画像信号生成部
１９：楽曲生成部
２０：楽音信号生成部
２１：電圧
２２：周波数
２３：国名
２４：国名
２５：言語
２６：規格
２７：インピーダンス
２８：音楽情報
【図１】
2005070203.tif 000003
【図２】
2005070203.tif 000004
【図３】
2005070203.tif 000005
【図４】
2005070203.tif 000006
【図５】
2005070203.tif 000007